(57)【特許請求の範囲】
【請求項１】
排水を排出する排水口１を遠隔的に開閉する遠隔操作式排水栓装置であって、
槽体の底面に設けられる排水口１と、
該排水口１に連通する、筒状を成す排水栓本体２と、
排水口１上に配置されて上下動することで排水口１の開閉を行う弁部材３と、
該弁部材３による排水口１の開閉動作を操作する操作部４と、
操作部４に加えられた操作を弁部材３に伝達する、一端が操作部４に接続される操作伝達部材と、
操作部４の操作を弁部材３側に伝達するため、操作伝達部材の他端を接続した状態で、排水栓本体２に対して係止固定される固定部材５と、
からなる遠隔操作式排水栓装置において、
排水栓本体２、または排水栓本体２に接続固定される配管部材の側面に開口部９を設けるとともに、流路が屈曲する屈曲部又は縮径する段部を設け、固定部材５が該開口部９に係止固定するように構成した事を特徴とする、遠隔操作式排水栓装置。
【請求項２】
上記遠隔操作式排水栓装置において、
固定部材５に突起部６を設け、該突起部６が開口部９に係止されることで、固定部材５が排水栓本体２に対して係止固定されることを特徴とする、請求項１に記載の遠隔操作式排水栓装置。
【請求項３】
上記遠隔操作式排水栓装置において、
遠隔操作式排水栓装置の開口部９を上下方向に複数設け、少なくとも２つ以上の開口部９に対して固定部材５が係止固定されるように構成した事を特徴とする、請求項１又は請求項２に記載の遠隔操作式排水栓装置。
【請求項４】
上記遠隔操作式排水栓装置において、
遠隔操作式排水栓装置の開口部９の対向位置の内面に、外方向に窪んだ凹部１１を設け、
開口部９と共に、または開口部９に代えて、固定部材５が該凹部１１に係止固定するように構成した事を特徴とする、請求項１又は請求項２に記載の遠隔操作式排水栓装置。
【請求項５】
上記遠隔操作式排水栓装置において、
開口部９が、排水栓本体２、または排水栓本体２に接続固定される配管部材の側面に設けられた管体部分であることを特徴とする請求項１乃至請求項４のいずれか１つに記載の遠隔操作式排水栓装置。
【請求項６】
排水を排出する排水口１を遠隔的に開閉する遠隔操作式排水栓装置であって、
槽体の底面に設けられる排水口１と、
該排水口１に連通する、筒状を成す排水栓本体２と、
排水口１上に配置されて上下動することで排水口１の開閉を行う弁部材３と、
該弁部材３による排水口１の開閉動作を操作する操作部４と、
操作部４に加えられた操作を弁部材３に伝達する、一端が操作部４に接続される操作伝達部材と、
操作部４の操作を弁部材３側に伝達するため、操作伝達部材の他端を接続した状態で、排水栓本体２に対して係止固定される固定部材５と、
からなる遠隔操作式排水栓装置において、
排水栓本体２、または排水栓本体２に接続固定される配管部材の側面に開口部９を設け、遠隔操作式排水栓装置の外側方向から開口部９に挿入されて固定部材５と係合する事で、固定部材５を排水栓本体２に対して係止固定する、係止部材１０を備えた事を特徴とする、遠隔操作式排水栓装置。
【請求項７】
上記遠隔操作式排水栓装置において、
操作伝達部材が、筒状にして側面方向に可撓性を備えたアウターチューブ１２ａ、アウターチューブ１２ａ内を摺動自在に動作する、側面方向に可撓性を備え軸方向に剛性を備えたインナーワイヤ１２ｂ、からなるレリースワイヤ１２としたことを特徴とする、請求項１乃至請求項６のいずれか１つに記載の遠隔操作式排水栓装置。
【発明の詳細な説明】
【技術分野】
【０００１】
本発明は浴槽や洗面台の洗面ボウル、流し台のシンクなど、槽体の排水を行う排水口を、遠隔操作によって開閉する遠隔操作式排水栓装置に関するものである。
【背景技術】
【０００２】
従来から、洗面台の洗面ボウルや浴室の浴槽、流し台のシンクなどの機器（以下、このような使用によって排水を生じる機器を「排水機器」と呼ぶ）に備えられた槽体の底面には、使用によって生じた排水を下水側に排水するために排水口が設けられている。多くの場合、この排水口を必要に応じて閉口するために、ゴム栓などの弁部材が設けられている。この排水口を閉塞する弁部材などの装置の中で、特に排水口から離れた位置にある操作部に操作を加えることで、排水口を遠隔操作により開閉できるようにした排水装置を遠隔操作式排水栓装置と呼ぶ。
従来良く知られた遠隔操作式排水栓装置としては、以下のような遠隔操作式排水栓装置がある。
【０００３】
以下に、従来の遠隔操作式排水栓装置を、図面を参照しつつ説明する。図１６に示した従来例の遠隔操作式排水栓装置は、洗面台の槽体である、洗面ボウルに施工される排水配管の遠隔操作式排水栓装置であって、排水口を有する排水栓本体（特許文献中では「排水口部材」）、排水継手、弁部材（特許文献中では「排水栓機構」）、固定部材（特許文献中では「ホルダー」）、操作部、レリースワイヤ、から構成される。
洗面ボウルは上方が開口した箱体であって、底面に排水栓本体を取り付ける取着孔を開口してなる。
排水栓本体は、円筒形状であって、上端には排水口を、下方側面には雄ネジ部を、それぞれ備えてなる。また、雄ネジ部と螺合する板ナット部材を備えてなる。
排水継手は、金属素材からなる円筒形状の部材であって、上記した雄ネジ部と螺合する袋ナット部材を備え、また側面部分にレリースワイヤを挿通する引出孔と、レリースワイヤが通過した状態で引出孔を水密的に閉塞するガスケットを備えてなる。
弁部材は排水口を閉口するための部材であって、平面視円形にして略平板状の弁体と、該弁体部の中央から下方に向かって設けた軸部を備えてなる。
固定部材はレリースワイヤ端部を排水栓内部に固定するための略円筒形状の部材であって、レリースワイヤ端部を保持固定すると共に、上縁に外方向に向かって突出した鍔部を備えてなる。施工完了時においては、この固定部材によって固定されたレリースワイヤの端部が、弁部材の軸部下端に向かって配置される。
操作部は、排水口の開閉を操作するための部材であって、洗面ボウルの開口周縁に配置される。また、該操作部には、スラストロック機構と呼ばれる、操作部を操作する毎に、アウターチューブに対してインナーワイヤを弁部材側に突出させて固定／固定を解除してインナーワイヤを操作部側に後退、を繰り返す機構を備えてなる。
レリースワイヤは、操作部に加えられた操作を弁部材に伝達する部材であって、筒状のアウターチューブと、金属のより線からなりアウターチューブ内を進退自在に摺動するインナーワイヤと、から構成される。
また、特許文献１中には記載されていないが、排水継手の下流側端部と床下配管とを、臭気や害虫類の下水側からの逆流を防止する排水トラップ配管を備えてなる。
【０００４】
上記のように構成した従来の遠隔操作式排水栓装置は、以下のようにして、槽体である洗面ボウルに施工される。
洗面ボウルの取付口に上方から排水栓本体を挿入した後、排水栓本体の雄ネジ部に板ナット部材を螺合させ、排水栓本体の上縁部分と板ナット部材とで、取着孔周縁を挟持するようにして固定する。
次に、排水継手の外部から、引出孔を介して、排水継手内部にレリースワイヤを挿通し、レリースワイヤ端部を固定部材に接続する。更に固定部材の鍔部を、排水継手の上方の開口周縁に載架させる。この後、排水継手を、レリースワイヤが操作部との接続に適した方向に向くように調整した上で、袋ナット部材を排水栓本体の雄ネジ部に螺合させ、排水栓本体の下端部分と、排水継手上端とで、固定部材の鍔部を挟持し、固定する。また、排水継手の下流側端部と床下配管とを、排水トラップ配管を介して接続する。更に、引出孔をガスケットで水密的に閉塞し、レリースワイヤの端部を操作部に接続すると共に、弁部材を排水口から排水栓本体内に配置して、槽体である洗面ボウルへの遠隔操作式排水栓装置の施工が完了する。
【０００５】
上記のように取り付けられた従来例の遠隔操作式排水栓装置は、以下のようにして使用することができる。まず弁部材が降下し、排水口が閉口されている状態にする。この状態においては、排水口が弁体に閉塞されているため、槽体である洗面ボウル内に排水が生じると、排水は洗面ボウル内に溜まってゆく。
この状態より、操作部に押し込み操作を加えると、操作部のスラストロック機構が動作し、アウターチューブに対してインナーワイヤが弁部材側に突出した状態にて固定される。これにより、弁部材の軸部下端がインナーワイヤに押し上げられ、弁部材が上昇し、排水口から弁体が離間して、排水口が開口する。この排水口の開口状態では、槽体である洗面ボウル内に発生した排水は、排水口から排水栓本体、排水継手、排水トラップ配管を通過し、床下配管から下水側に排出される。
この状態から操作部に再度操作を加え、スラストロック機構の、インナーワイヤに対する固定を解除すると、弁部材の重量により、インナーワイヤが操作部側に後退し、それに伴い弁部材が降下して弁体が排水口を閉塞した状態に戻る。以降、この過程を繰り返すことで、排水口を遠隔操作的に自在に開口／閉口する事ができる。
【０００６】
【特許文献１】特開２００６−１８３４２３号
【発明の開示】
【発明が解決しようとする課題】
【０００７】
上記した従来例には、以下に記載したような問題点があった。
１．上記した従来の遠隔操作式排水栓装置において、排水栓本体に対して固定部材を固定するためには、必ず排水栓本体と排水継手の２つの部材を用意して挟持固定する必要があった。このため、部材点数が増え、部材管理の手間が増えると共に、部品点数が増加したため製品の価格が高くなる、といった問題があった。また接続箇所が増えるために施工の手間と、接続箇所からの漏水の危険性が増える、といった問題があった。
２．上記した従来の遠隔操作式排水栓装置においては、固定部材は必ず排水栓本体の下端に配置されるように構成されるため、固定部材の配置レイアウトの自由度が低かった。例えば、既にある排水栓本体では排水栓本体の全高が若干高いために固定部材を排水配管の好適な位置に配置できない、という程度の理由で排水栓本体も新造しなければならない、といった問題があった。
本発明は上記問題点を解消するために発明されたものであって、遠隔操作式排水栓装置において、接続部分を減らす、または接続部分の水密性を高いものとしつつ、固定部材を排水栓装置に対して係止固定することができるようにすると共に、固定部材の配置位置の自由度を向上した遠隔操作式排水栓装置を提供するものである。
【課題を解決するための手段】
【０００８】
請求項１に記載の遠隔操作式排水栓装置は、排水を排出する排水口１を遠隔的に開閉する遠隔操作式排水栓装置であって、
槽体の底面に設けられる排水口１と、該排水口１に連通する、筒状を成す排水栓本体２と、排水口１上に配置されて上下動することで排水口１の開閉を行う弁部材３と、該弁部材３による排水口１の開閉動作を操作する操作部４と、操作部４に加えられた操作を弁部材３に伝達する、一端が操作部４に接続される操作伝達部材と、操作部４の操作を弁部材３側に伝達するため、操作伝達部材の他端を接続した状態で、排水栓本体２に対して係止固定される固定部材５と、からなる遠隔操作式排水栓装置において、
排水栓本体２、または排水栓本体２に接続固定される配管部材の側面に開口部９を設けるとともに、流路が屈曲する屈曲部又は縮径する段部を設け、固定部材５が該開口部９に係止固定するように構成した事を特徴とする、遠隔操作式排水栓装置である。
【０００９】
請求項２に記載の遠隔操作式排水栓装置は、上記遠隔操作式排水栓装置において、
固定部材５に突起部６を設け、該突起部６が開口部９に係止されることで、固定部材５が排水栓本体２に対して係止固定されることを特徴とする、段落０００８に記載の遠隔操作式排水栓装置である。
【００１０】
請求項３に記載の遠隔操作式排水栓装置は、上記遠隔操作式排水栓装置において、
遠隔操作式排水栓装置の開口部９を上下方向に複数設け、少なくとも２つ以上の開口部９に対して固定部材５が係止固定されるように構成した事を特徴とする、段落０００８又は段落０００９に記載の遠隔操作式排水栓装置である。
【００１１】
請求項４に記載の遠隔操作式排水栓装置は、上記遠隔操作式排水栓装置において、
遠隔操作式排水栓装置の開口部９の対向位置の内面に、外方向に窪んだ凹部１１を設け、
開口部９と共に、または開口部９に代えて、固定部材５が該凹部１１に係止固定するように構成した事を特徴とする、段落０００８又は段落０００９に記載の遠隔操作式排水栓装置である。
【００１２】
請求項５に記載の遠隔操作式排水栓装置は、上記遠隔操作式排水栓装置において、
開口部９が、排水栓本体２、または排水栓本体２に接続固定される配管部材の側面に設けられた管体部分であることを特徴とする段落０００８乃至段落００１１のいずれか１つに記載の遠隔操作式排水栓装置である。
【００１３】
請求項６に記載の遠隔操作式排水栓装置は、排水を排出する排水口１を遠隔的に開閉する遠隔操作式排水栓装置であって、
槽体の底面に設けられる排水口１と、該排水口１に連通する、筒状を成す排水栓本体２と、排水口１上に配置されて上下動することで排水口１の開閉を行う弁部材３と、該弁部材３による排水口１の開閉動作を操作する操作部４と、操作部４に加えられた操作を弁部材３に伝達する、一端が操作部４に接続される操作伝達部材と、操作部４の操作を弁部材３側に伝達するため、操作伝達部材の他端を接続した状態で、排水栓本体２に対して係止固定される固定部材５と、からなる遠隔操作式排水栓装置において、
排水栓本体２、または排水栓本体２に接続固定される配管部材の側面に開口部９を設け、遠隔操作式排水栓装置の外側方向から開口部９に挿入されて固定部材５と係合する事で、固定部材５を排水栓本体２に対して係止固定する、係止部材１０を備えた事を特徴とする、遠隔操作式排水栓装置である。
【００１４】
請求項７に記載の遠隔操作式排水栓装置は、上記遠隔操作式排水栓装置において、
操作伝達部材が、筒状にして側面方向に可撓性を備えたアウターチューブ１２ａ、アウターチューブ１２ａ内を摺動自在に動作する、側面方向に可撓性を備え軸方向に剛性を備えたインナーワイヤ１２ｂ、からなるレリースワイヤ１２としたことを特徴とする、段落０００８乃至段落００１３のいずれか１つに記載の遠隔操作式排水栓装置である。
【発明の効果】
【００１５】
本発明の管体の接続部材は、以下の効果を奏する。
１．請求項１に記載の本発明は、遠隔操作式排水栓装置の固定部材を、排水栓本体、または排水栓本体に接続固定される配管部材の側面に開口部を設けて、該開口部に固定部材が係止固定するように構成した。これによって、固定部材を排水栓装置に対して係止固定する際に、従来例と比べ、遠隔操作式排水栓装置の接続部分を減らしたり、または接続部分の開口の大きさを小さなものとし、その分水密性を高いものすることができる。
また、遠隔操作式排水栓装置の固定部材の配置位置について、従来例では排水栓本体と排水継手の接続部分に限定されていたことに対し、本発明では、開口部の位置を比較的自由に設定できるため、従来例に比べ、固定部材の配置位置の自由度を向上することができる。
２．請求項２に記載の本発明においては、開口部に対する固定部材の係止固定の方法を明確化することができる。
３．請求項３に記載の本発明では、上下方向に複数設けた開口部に、固定部材を係止固定することで、一箇所だけで固定する場合よりも安定した状態で遠隔操作式排水栓装置に固定部材を係止固定することができる。
４．請求項４に記載の本発明では、開口部の対向位置の内面に、外方向に窪んだ凹部を設け、開口部と共に、または開口部に代えて、固定部材が該凹部に係止固定するように構成してなる。開口部の対向位置に凹部を設けるのは、部材の製造の際、開口部から加工を行うことが容易（例えば樹脂成形の場合、開口部から凹部に対応する金型を抜き出すことができる）であるためである。このように構成した遠隔操作式排水栓装置において、開口部と凹部の両方に固定部材が係止固定されるように構成した場合は、一箇所だけで固定する場合よりも安定した状態で排水栓本体、または排水栓本体に接続固定される配管部材に固定部材を係止固定することができる。また、開口部はオーバーフロー配管の接続や排水の排出口など、他の目的に利用されることが多く、固定部材を係止するために開口部が閉塞または開口の割合が減じると不具合となる場合が多い。このような場合、凹部のみに固定部材が係止固定されるように構成し、開口部には閉塞物が無いようにすると好適である。
５．排水栓本体、または排水栓本体に接続固定される配管部材においては、オーバーフロー配管の接続管、レリースワイヤの挿通管、床下配管との接続を行う接続管など、様々な管体が、排水栓本体、または排水栓本体に接続固定される配管部材の側面方向に設けられる場合が多い。請求項５に記載の発明によれば、これらを開口部として利用することで、固定部材を遠隔操作式排水栓装置の内部に係止固定できる。これらは元々遠隔操作式排水栓装置に用意されていた開口部分であって、本発明を採用するしないに関係無く開口され、水密的に閉塞又は接続されるものである。このため、本発明を採用する場合において、特に漏水が発生する可能性を、従来の遠隔操作式排水栓装置（又は遠隔操作式排水栓装置を備えない排水配管）と比べても同じ程度か、それ以下とすることができる。
６．請求項６に記載の本発明においては、排水栓本体に対する固定部材の係止固定の方法を明確化することができる。
７．請求項７に記載の本発明においては、操作伝達部材の一例を明確化することができる。
【図面の簡単な説明】
【００１６】
【図１】第一実施例の一部を切り欠きした参考図である。
【図２】第一実施例の、要部を示す一部を切り欠きした参考図である。
【図３】第一実施例の、要部を示す一部を切り欠きした参考図である。
【図４】第一実施例の、要部の部材構成を示す参考図である。
【図５】第二実施例の一部を切り欠きした参考図である。
【図６】第二実施例の、要部を示す一部を切り欠きした参考図である。
【図７】第二実施例の、要部の部材構成を示す参考図である。
【図８】第三実施例の一部を切り欠きした参考図である。
【図９】第三実施例の、要部を示す一部を切り欠きした参考図である。
【図１０】第三実施例の、要部の部材構成を示す参考図である。
【図１１】第四実施例の一部を切り欠きした参考図である。
【図１２】第四実施例の、要部を示す一部を切り欠きした参考図である。
【図１３】第四実施例の、要部の部材構成を示す参考図である。
【図１４】他の実施例の一部を切り欠きした参考図である。
【図１５】他の実施例の一部を切り欠きした参考図である。
【図１６】従来の遠隔操作式排水栓装置を示す、一部を切り欠きした参考図である。
【実施例】
【００１７】
以下に、本発明の第一実施例を、図面を参照しつつ説明する。図１乃至図４に示した本発明の第一実施例の遠隔操作式排水栓装置は、請求項１、請求項２、請求項６、請求項７に対応する実施例であって、槽体としての洗面ボウルＳに取り付けられた、排水栓本体２、弁部材３、固定部材５、操作部４、レリースワイヤ１２、排水トラップ配管Ｔ、オーバーフロー配管１３、から構成される。
洗面ボウルＳは上方が開口した箱体であって、底面に洗面ボウルＳ内の排水を行う排水口１を設けると共に、側面上方に、オーバーフロー排水を行うためのオーバーフロー排水口１７を備えてなる。
排水栓本体２は、有底円筒状の管体を本体部分とする部材であって、上端部には外側面方向に向かって周縁に沿って突出したフランジ部１８を備えてなる。該フランジには複数箇所にネジ部材２０を挿通するためのネジ穴部１８ａを備えてなる（図示ではネジ穴部１８ａ、ネジ部材２０とも１つのみ示している）。また、排水栓本体２の本体部分の側面に、略水平方向に向かって、上方から順に、オーバーフロー接続管２２、ワイヤー挿通管２３、排出口２４、の３つの管体部分を排水栓本体２と一体に備えてなる。
これら排水栓本体２の、本体部分側面に設けられた管体部分は、本体部分の側面に開口することから、開口部９として機能する。本実施例では、ワイヤー挿通管２３の開口が、固定部材５と係合する開口部９となる。
弁部材３は排水口１を閉口するための部材であって、平面視円形にして略平板状の弁体３ａと、該弁体３ａ部の中央から下方に向かって設けた軸部３ｂを備えてなる。
固定部材５はレリースワイヤ１２端部を排水栓本体２の本体部分内部に固定するための部材であって、レリースワイヤ１２端部を保持固定する保持部７と、排水栓本体２内周面に当接するリング部８と、リング部８の下方に設けた、ワイヤー挿通管２３の開口部９に係止固定される突起部６と、を備えてなる。施工完了時においては、この固定部材５によって固定されたレリースワイヤ１２の端部が、弁部材３の軸部３ｂ下端に向かって配置される。また、保持部７にはスラストロック機構と呼ばれる軸体７ａを備えた機構を内蔵してなり、施工完了時、このスラストロック機構の軸体７ａ下端に、レリースワイヤ１２のインナーワイヤ１２ｂ先端が対向するように配置される。このように配置されたスラストロック機構において、操作部４に操作が加えられると、インナーワイヤ１２ｂの先端がスラストロック機構の軸体７ａ後端を押し上げるように動作する。そして、インナーワイヤ１２ｂの先端が、軸体７ａ後端を押し上げる毎に、軸体７ａは、軸体７ａを上方に突出させて固定／固定を解除して軸体７ａを下方に降下、を繰り返すように動作する。
操作部４は、排水口１の開閉を操作するための部材であって、洗面ボウルＳの開口周縁に配置される。
レリースワイヤ１２は、操作部４に加えられた操作を弁部材３に伝達する部材であって、筒状のアウターチューブ１２ａと、金属のより線からなりアウターチューブ１２ａ内を進退自在に摺動するインナーワイヤ１２ｂと、図示しないが、インナーワイヤ１２ｂをアウターチューブ１２ａに対して操作部４側に付勢するスプリング部８材と、から構成される。
排水トラップ配管Ｔは、管体をＳ字に屈曲させた部材であって、上流側の端部はほぼ水平方向に屈曲して排水栓本体２の排出口２４に、下流側の端部は床下配管に、それぞれ接続される。
また、排水トラップ配管Ｔは、排水機器を使用するとその屈曲部分の内部に排水の溜まり部分を生じ、この溜まり部分によって管体の一部が常に水に満たされた状態となるため、臭気や害虫類が床下配管又は下水側から、屋内側に侵入することを防止することができる。
この溜まった排水を封水と呼び、排水トラップ部材の封水が溜まる部分を封水部Ｔ１と呼ぶ。
オーバーフロー配管１３は、オーバーフロー排水口１７に接続されるオーバーフロー継手１５と、該オーバーフロー継手１５とオーバーフロー接続管２２との間を接続するホース管１６と、から構成されてなる。
また、特に詳述したり、図示したりはしないが、各部材間の水密的に接続を要求される部分には、パッキングなどを用いて水密的に接続が行われる。
【００１８】
上記のように構成した第一実施例の遠隔操作式排水栓装置は、以下のようにして、槽体である洗面ボウルＳに施工される。
まず、レリースワイヤ１２の端部を、外部からワイヤー挿通管２３に挿通し、排水栓本体２内部に挿通した上で、排水栓本体２の上端の開口から引き上げる。次に、固定部材５の保持部７にレリースワイヤ１２の端部、正確にはアウターチューブ１２ａ端部を取り付け固定する。この時、インナーワイヤ１２ｂ端部は、スラストロック機構の軸体７ａ下端に対向して配置される。この後、固定部材５を排水栓本体２の上端の開口から挿入し、固定部材５の突起部６を、ワイヤー挿通管２３の根元部分の開口部９に係止させることで、固定部材５を排水栓本体２に対して係止固定させる。また、ワイヤー挿通管２３の端部を、レリースワイヤ１２が挿通した状態で水密的に閉塞する。
次に、操作部４を洗面ボウルＳの開口周縁に取り付けた後、レリースワイヤ１２端部を操作部４に接続する。
更に、排水栓本体２を、洗面ボウルＳの下方から、洗面ボウルＳの排水口１の周縁下面に当接させて水密的に固定する。具体的には、排水栓本体２のフランジ部１８上面を洗面ボウルＳの排水口１の周縁下面に当接させ、ネジ穴部１８ａを介してネジ部材２０を挿通し、洗面ボウルＳに螺合させて、排水栓本体２をネジ部材２０により洗面ボウルＳに取付固定する。
また、この時は、排水栓本体２の方向が、レリースワイヤ１２に負担が掛からない方向となるよう注意する。
更にオーバーフロー継手１５を洗面ボウルＳのオーバーフロー排水口１７に接続し、オーバーフロー継手１５と排水栓本体２のオーバーフロー接続管２２との間をホース管１６で接続する。
最後に、排出口２４と床下配管とを、排水トラップ配管Ｔを介して接続し、更に排水口１から排水栓本体２内に弁部材３を配置して、遠隔操作式排水栓装置の洗面ボウルＳへの施工が完了する。
【００１９】
上記のように取り付けられた従来例の遠隔操作式排水栓装置は、以下のようにして使用することができる。
まず、図２に示したように、弁部材３が降下し、排水口１が閉口されている状態にする。この状態においては、排水口１が弁体３ａに閉塞されているため、槽体である洗面ボウルＳ内に排水が生じると、排水は洗面ボウルＳ内に溜まってゆく。但し、洗面ボウルＳ内に排水が溜まって、オーバーフロー排水口１７の下端位置まで水位が達すると、洗面ボウルＳ内に溜まった排水は、オーバーフロー排水口１７から、オーバーフロー継手１５、オーバーフロー管、排水栓本体２、排水トラップ配管Ｔ、を通過し、最終的に下水側に排出される。これにより、洗面ボウルＳ内の排水の水位が、オーバーフロー排水口１７以上に上昇することはない。
この状態より、操作部４に操作を加えると、インナーワイヤ１２ｂが固定部材５側に突出して、保持部７に組み込まれているスラストロック機構の軸体７ａの下端を押し上げ、保持部７内のスラストロック機構が動作し、軸体７ａが上方に突出した状態で固定される。尚、使用者が操作部４から手を離すと、スプリング部８材の作用により、インナーワイヤ１２ｂは操作部４側に移動する。これにより、弁部材３の軸部３ｂ下端が軸体７ａによって上方に押し上げられ、弁部材３が上昇し、排水口１から弁体３ａが離間して、図３に示したように、排水口１が開口する。この排水口１の開口状態では、槽体である洗面ボウルＳ内に発生した排水は、排水口１から排水栓本体２、排水継手２５、排水トラップ配管Ｔを通過し、床下配管から下水側に排出される。
この状態から操作部４に再度操作を加え、インナーワイヤ１２ｂを再度固定部材５側に突出させると、再びインナーワイヤ１２ｂの先端が、保持部７に組み込まれているスラストロック機構の軸体７ａの下端を押し上げ、保持部７内のスラストロック機構が動作し、軸体７ａの固定が解除される。先述のように、使用者が操作部４から手を離すと、スプリング部８材の作用により、インナーワイヤ１２ｂは操作部４側に移動するため、支えを失った軸体７ａおよび弁軸は自重により降下し、結果弁部材３が降下して図２に示した弁体３ａが排水口１を閉塞した状態に戻る。以降、この過程を繰り返すことで、排水口１を遠隔操作的に自在に開口／閉口する事ができる。
【００２０】
上記のように構成された遠隔操作式排水栓装置では、固定部材５はワイヤー挿通管２３の根元の開口部９に係止固定される。ワイヤー挿通管２３は、元々遠隔操作式排水栓装置のレリースワイヤ１２を、遠隔操作式排水栓装置の外部から内部に挿入するために必要な構成であり、開口部９を構成するために新規に追加された構成ではない。このため、開口部９を設けるために、従来よりあった開口以外の開口部９分を遠隔操作式排水栓装置上に新たに設け、該開口部９分を水密的に閉塞する、という必要が無く、その分水密性を高いものすることができる。
また、上記第一実施例の遠隔操作式排水栓装置では、ワイヤー挿通管２３の位置又は突起部６の上下方向の位置は、比較的自由（少なくとも従来例のように、排水栓本体２と排水継手２５の接続部分に限定されるような不自由さはない）に設定することができ、設計レイアウトの幅を広げることができる。
【００２１】
次に、本発明の第二実施例を、図面を参照しつつ説明する。図５乃至図７に示した本発明の第一実施例の遠隔操作式排水栓装置は、請求項１、請求項２、請求項４、請求項６、請求項７に対応する実施例であって、槽体としての洗面ボウルＳに取り付けられた、排水栓本体２、弁部材３、固定部材５、操作部４、レリースワイヤ１２、排水トラップ配管Ｔ、オーバーフロー配管１３、から構成される。
排水栓本体２は、有底円筒状の管体を本体部分とする部材であって、上端部には外側面方向に向かって周縁に沿って突出したフランジ部１８を備えてなる。該フランジには複数箇所にネジ部材２０を挿通するためのネジ穴部１８ａを備えてなる（図示ではネジ穴部１８ａ、ネジ部材２０とも１つのみ示している）。また、排水栓本体２の本体部分の側面に、略水平方向に向かって、上方から順に、オーバーフロー接続管２２、ワイヤー挿通管２３、排出口２４、の３つの管体部分を排水栓本体２と一体に備えてなる。
これら排水栓本体２の、本体部分側面に設けられた管体部分は、本体部分の側面に開口することから、開口部９として機能する。本実施例では、オーバーフロー接続管２２及びワイヤー挿通管２３の開口が、固定部材５と係合する開口部９となる。
固定部材５はレリースワイヤ１２端部を排水栓本体２の本体部分内部に固定するための部材であって、レリースワイヤ１２端部を保持固定する保持部７と、排水栓本体２内周面に当接するリング部８と、リング部８の上方及び下方に設けた、ワイヤー挿通管２３の開口部９に係止固定される突起部６と、を備えてなる。また、保持部７にはスラストロック機構を内蔵してなり、施工完了時、このスラストロック機構の軸体７ａ下端に、レリースワイヤ１２のインナーワイヤ１２ｂ先端が対向するように配置される。このように配置されたスラストロック機構において、操作部４に操作が加えられると、インナーワイヤ１２ｂの先端がスラストロック機構の軸体７ａ後端を押し上げるように動作する。そして、インナーワイヤ１２ｂの先端が、軸体７ａ後端を押し上げる毎に、軸体７ａは、軸体７ａを上方に突出させて固定／固定を解除して軸体７ａを下方に降下、を繰り返すように動作する。
上記以外の、洗面ボウルＳ、弁部材３、操作部４、レリースワイヤ１２、排水トラップ配管Ｔ、オーバーフロー配管１３の各部材は、段落００１７に記載された第一実施例の各部材と同様に構成されてなる。
もちろん、各部材間の水密的に接続を要求される部分には、パッキングなどを用いて水密的に接続が行われる点も同様である。
【００２２】
上記のように構成した第二実施例の遠隔操作式排水栓装置は、以下のようにして、槽体である洗面ボウルＳに施工される。
まず、レリースワイヤ１２の端部を、外部からワイヤー挿通管２３に挿通し、排水栓本体２内部に挿通した上で、排水栓本体２の上端の開口から引き上げる。次に、固定部材５の保持部７にレリースワイヤ１２の端部、正確にはアウターチューブ１２ａ端部を取り付け固定する。この時、インナーワイヤ１２ｂ端部は、スラストロック機構の軸体７ａ下端に対向して配置される。この後、固定部材５を排水栓本体２の上端の開口から挿入し、固定部材５の上側の突起部６をオーバーフロー接続管２２の根元部分の開口部９に、下側の突起部６をワイヤー挿通管２３の根元部分の開口部９に、それぞれ係止させることで、固定部材５を排水栓本体２に対して係止固定させる。また、ワイヤー挿通管２３の端部を、レリースワイヤ１２が挿通した状態で水密的に閉塞する。
次に、操作部４を洗面ボウルＳの開口周縁に取り付けた後、レリースワイヤ１２端部を操作部４に接続する。
更に、排水栓本体２を、洗面ボウルＳの下方から、洗面ボウルＳの排水口１の周縁下面に当接させて水密的に固定する。具体的には、排水栓本体２のフランジ部１８上面を洗面ボウルＳの排水口１の周縁下面に当接させ、ネジ穴部１８ａを介してネジ部材２０を挿通し、洗面ボウルＳに螺合させて、排水栓本体２をネジ部材２０により洗面ボウルＳに取付固定する。
また、この時は、排水栓本体２の方向が、レリースワイヤ１２に負担が掛からない方向となるよう注意する。
更にオーバーフロー継手１５を洗面ボウルＳのオーバーフロー排水口１７に接続し、オーバーフロー継手１５と排水栓本体２のオーバーフロー接続管２２との間をホース管１６で接続する。
最後に、排出口２４と床下配管とを、排水トラップ配管Ｔを介して接続し、更に排水口１から排水栓本体２内に弁部材３を配置して、遠隔操作式排水栓装置の洗面ボウルＳへの施工が完了する。
【００２３】
上記のように取り付けられた第二実施例の従来例の遠隔操作式排水栓装置は、段落００１９に記載した第一実施例の遠隔操作式排水栓装置と同様の方法にて使用することができる。
また、上記のように構成された第二実施例の遠隔操作式排水栓装置は、段落００２０に記載した第一実施例の遠隔操作式排水栓装置と同様の効果を奏すると共に、更に、固定部材５の下側の突起部６をワイヤー挿通管２３の根元部分の開口部９に係止させた上、上側の突起部６をオーバーフロー接続管２２の根元部分の開口部９に係止させたことで、第一実施例の遠隔操作式排水栓装置の固定部材５よりも強固且つ確実にを排水栓本体２に対して係止固定させることが可能となっている。また、固定部材５を排水栓本体２に対して上下方向に２箇所にて固定しているため、固定部材５が上下方向に対してガタツキ等が起こりにくくなり、一層安定した使用を行うことが可能となった。
【００２４】
次に、本発明の第三実施例を、図面を参照しつつ説明する。図８乃至図１０に示した本発明の第一実施例の遠隔操作式排水栓装置は、請求項１、請求項２、請求項５、請求項６、請求項７に対応する実施例であって、槽体としての洗面ボウルＳに取り付けられた、排水栓本体２、弁部材３、固定部材５、操作部４、レリースワイヤ１２、排水トラップ配管Ｔ、オーバーフロー配管１３、から構成される。
排水栓本体２は、有底円筒状の管体を本体部分とする樹脂成形によって構成される部材であって、上端部には外側面方向に向かって周縁に沿って突出したフランジ部１８を備えてなる。該フランジには複数箇所にネジ部材２０を挿通するためのネジ穴部１８ａを備えてなる（図示ではネジ穴部１８ａ、ネジ部材２０とも１つのみ示している）。また、排水栓本体２の本体部分の側面に、略水平方向に向かって、上方から順に、オーバーフロー接続管２２、ワイヤー挿通管２３、排出口２４、の３つの管体部分を排水栓本体２と一体に備えてなる。
これら排水栓本体２の、本体部分側面に設けられた管体部分は、本体部分の側面に開口することから、開口部９として機能する。本実施例では、ワイヤー挿通管２３の開口が、固定部材５と係合する開口部９となる。
更に、排水栓本体２の、ワイヤー挿通管２３の対向位置の内面に、外方向に窪んだ凹部１１を設けてなる。開口部９の対向位置に凹部１１を設けるのは、部材の製造の際、開口部９から凹部１１に対応する金型を抜き出すことができるためである。
固定部材５はレリースワイヤ１２端部を排水栓本体２の本体部分内部に固定するための部材であって、レリースワイヤ１２端部を保持固定する保持部７と、排水栓本体２内周面に当接するリング部８と、リング部８の下方に、平面視リング部８の中心を挟んで対称位置に設けた、ワイヤー挿通管２３の開口部９及び凹部１１に係止固定される突起部６と、を備えてなる。また、保持部７にはスラストロック機構を内蔵してなり、施工完了時、このスラストロック機構の軸体７ａ下端に、レリースワイヤ１２のインナーワイヤ１２ｂ先端が対向するように配置される。このように配置されたスラストロック機構において、操作部４に操作が加えられると、インナーワイヤ１２ｂの先端がスラストロック機構の軸体７ａ後端を押し上げるように動作する。そして、インナーワイヤ１２ｂの先端が、軸体７ａ後端を押し上げる毎に、軸体７ａは、軸体７ａを上方に突出させて固定／固定を解除して軸体７ａを下方に降下、を繰り返すように動作する。
上記以外の、洗面ボウルＳ、弁部材３、操作部４、レリースワイヤ１２、排水トラップ配管Ｔ、オーバーフロー配管１３の各部材は、段落００１７に記載された第一実施例の各部材と同様に構成されてなる。
もちろん、各部材間の水密的に接続を要求される部分には、パッキングなどを用いて水密的に接続が行われる点も同様である。
【００２５】
上記のように構成した第三実施例の遠隔操作式排水栓装置は、以下のようにして、槽体である洗面ボウルＳに施工される。
まず、レリースワイヤ１２の端部を、外部からワイヤー挿通管２３に挿通し、排水栓本体２内部に挿通した上で、排水栓本体２の上端の開口から引き上げる。次に、固定部材５の保持部７にレリースワイヤ１２の端部、正確にはアウターチューブ１２ａ端部を取り付け固定する。この時、インナーワイヤ１２ｂ端部は、スラストロック機構の軸体７ａ下端に対向して配置される。この後、固定部材５を排水栓本体２の上端の開口から挿入し、固定部材５の２つある突起部６を、ワイヤー挿通管２３の根元部分の開口部９と、凹部１１とに、それぞれ係止させることで、固定部材５を排水栓本体２に対して係止固定させる。また、ワイヤー挿通管２３の端部を、レリースワイヤ１２が挿通した状態で水密的に閉塞する。
次に、操作部４を洗面ボウルＳの開口周縁に取り付けた後、レリースワイヤ１２端部を操作部４に接続する。
更に、排水栓本体２を、洗面ボウルＳの下方から、洗面ボウルＳの排水口１の周縁下面に当接させて水密的に固定する。具体的には、排水栓本体２のフランジ部１８上面を洗面ボウルＳの排水口１の周縁下面に当接させ、ネジ穴部１８ａを介してネジ部材２０を挿通し、洗面ボウルＳに螺合させて、排水栓本体２をネジ部材２０により洗面ボウルＳに取付固定する。
また、この時は、排水栓本体２の方向が、レリースワイヤ１２に負担が掛からない方向となるよう注意する。
更にオーバーフロー継手１５を洗面ボウルＳのオーバーフロー排水口１７に接続し、オーバーフロー継手１５と排水栓本体２のオーバーフロー接続管２２との間をホース管１６で接続する。
最後に、排出口２４と床下配管とを、排水トラップ配管Ｔを介して接続し、更に排水口１から排水栓本体２内に弁部材３を配置して、遠隔操作式排水栓装置の洗面ボウルＳへの施工が完了する。
【００２６】
上記のように取り付けられた第三実施例の従来例の遠隔操作式排水栓装置は、段落００１９に記載した第一実施例の遠隔操作式排水栓装置と同様の方法にて使用することができる。
また、上記のように構成された第三実施例の遠隔操作式排水栓装置は、段落００２０に記載した第一実施例の遠隔操作式排水栓装置と同様の効果を奏すると共に、更に、固定部材５の２つある突起部６をワイヤー挿通管２３の根元部分の開口部９と凹部１１とに係止させたことで、第一実施例の遠隔操作式排水栓装置の固定部材５よりも強固且つ確実にを排水栓本体２に対して係止固定させることが可能となっている。また、固定部材５を排水栓本体２に対して水平方向に２箇所にて固定しているため、固定部材５の撓みが起こりにくくなり、一層安定した使用を行うことが可能となった。
【００２７】
次に、本発明の第四実施例を、図面を参照しつつ説明する。図１１乃至図１３に示した本発明の第四実施例の遠隔操作式排水栓装置は、請求項１、請求項３、請求項６、請求項７に対応する実施例であって、槽体としての洗面ボウルＳに取り付けられた、排水栓本体２、オーバーフローアダプター１４、排水継手２５、弁部材３、固定部材５、操作部４、レリースワイヤ１２、排水トラップ配管Ｔ、オーバーフロー配管１３、から構成される。
排水栓本体２は、円筒形状であって、上端には排水口１を、上方側面には横穴部２ａを、下方側面には雄ネジ部１９を、それぞれ備えてなる。また、雄ネジ部１９と螺合する板ナット部材２１を備えてなる。更に上端部には外側面方向に向かって周縁に沿って突出したフランジ部１８を備えてなる。
オーバーフローアダプター１４は、環状にして側面にオーバーフロー接続管２２を備えた部材であって、施工完了時上端は洗面ボウルＳ下面に、下端は板ナット部材２１に、それぞれ当接した状態で施工される。
排水継手２５は、円筒状であって、上縁部分に鍔部２５ａと、該鍔部２５ａによって係止され、雄ネジ部１９と螺合する袋ナット部材２６を備え、また側面部分にレリースワイヤ１２を挿通するワイヤー挿通管２３を備えてなる。また、下端部分には排出口２４を備えてなる。
該排水継手２５の、本体部分側面に設けられた管体部分であるワイヤー挿通管２３は、本体部分の側面に開口することから、開口部９として機能する。
固定部材５はレリースワイヤ１２端部を排水栓本体２の本体部分内部に固定するための部材であって、レリースワイヤ１２端部を保持固定する保持部７と、排水栓本体２内周面に当接するリング部８と、リング部８の下方に設けた、係止部材１０の先端と嵌合する嵌合部５ａと、を備えてなる。また、保持部７にはスラストロック機構を内蔵してなり、施工完了時、このスラストロック機構の軸体７ａ下端に、レリースワイヤ１２のインナーワイヤ１２ｂ先端が対向するように配置される。このように配置されたスラストロック機構において、操作部４に操作が加えられると、インナーワイヤ１２ｂの先端がスラストロック機構の軸体７ａ後端を押し上げるように動作する。そして、インナーワイヤ１２ｂの先端が、軸体７ａ後端を押し上げる毎に、軸体７ａは、軸体７ａを上方に突出させて固定／固定を解除して軸体７ａを下方に降下、を繰り返すように動作する。
係止部材１０は断面Ｃ字形状を成す棒状の部材であって、Ｃ字形状を成す断面の内側部分にレリースワイヤ１２を収納した状態で、ワイヤー挿入管内に挿入され、先端部分が固定部材５の嵌合部５ａに嵌合するように構成されてなる。
排水トラップ配管Ｔは、管体をＳ字に屈曲させて封水部Ｔ１を形成した部材であって、上流側の端部はほぼ垂直方向を向いて設けられて排水継手２５の排出口２４に、下流側の端部は床下配管に、それぞれ接続される。
上記以外の、洗面ボウルＳ、弁部材３、操作部４、レリースワイヤ１２、オーバーフロー配管１３の各部材は、段落００１７に記載された第一実施例の各部材と同様に構成されてなる。
もちろん、各部材間の水密的に接続を要求される部分には、パッキングなどを用いて水密的に接続が行われる点も同様である。
【００２８】
上記のように構成した第四実施例の遠隔操作式排水栓装置は、以下のようにして、槽体である洗面ボウルＳに施工される。
尚、本実施例においては、オーバーフロー継手１５とオーバーフローアダプター１４のオーバーフロー接続管２２は、事前に工場などでホース管１６を介して接続された上で、施工現場に搬入されてなる。
まず、洗面ボウルＳの取着孔に上方から排水栓本体２を挿入し、取着孔の周縁の上面に、フランジ部１８の下面を当接させる。次に、排水栓本体２の下方から、オーバーフローアダプター１４を挿通し、更に板ナットを排水栓本体２の雄ネジ部１９に螺合させ、フランジ部１８下面と、板ナット部材２１上面とで、洗面ボウルＳの取着孔周縁及びオーバーフローアダプター１４を挟持するようにして取着し固定する。この時排水栓本体２の横穴部２ａはオーバーフローアダプター１４と同じ高さ位置に配置され、オーバーフロー接続管２２から流入した排水が、オーバーフローアダプター１４内部から、横穴部２ａを介し排水栓本体２内部に流入するように配置されてなる。
次に、レリースワイヤ１２の端部を、外部から排水継手２５のワイヤー挿通管２３に挿通し、排水継手２５内部に挿通した上で、排水継手２５の上端の開口から引き上げる。更に、固定部材５の保持部７にレリースワイヤ１２の端部、正確にはアウターチューブ１２ａ端部を取り付け固定する。この時、インナーワイヤ１２ｂ端部は、スラストロック機構の軸体７ａ下端に対向して配置される。この後、固定部材５を排水栓本体２の上端の開口から挿入し、固定部材５を排水継手２５の適宜位置に配置する。更に、係止部材１０のＣ字形状を成す断面の内側部分にレリースワイヤ１２を収納した状態で、係止部材１０をワイヤー挿通管２３内に挿入させ、先端部分を固定部材５の嵌合部５ａに嵌合させる（即ち、上記した「固定部材５を排水継手２５の適宜位置に配置する」とは、「固定部材５を係止部材１０に嵌合させることに対して適した位置に配置する」という意味である）。このように、固定部材５が係止部材１０と嵌合することによって、固定部材５が排水継手２５内に係止固定される。また、レリースワイヤ１２挿通管の端部を、レリースワイヤ１２が挿通した状態で水密的に閉塞する。
次に、操作部４を洗面ボウルＳの開口周縁に取り付けた後、レリースワイヤ１２端部を操作部４に接続する。
更に、排水栓本体２の雄ネジ部１９に、下方から排水継手２５の袋ナットを螺合させて、排水栓本体２に排水継手２５を取付固定する。また、この時は、排水栓本体２の方向が、レリースワイヤ１２に負担が掛からない方向となるよう注意する。このように、排水栓本体２に、排水継手２５を螺合させて固定することで、固定部材５は、排水栓本体２に対して係止固定された状態となる（即ち、排水継手２５は排水栓本体２に接続固定される配管部材であり、固定部材５は排水栓本体２に対して係止固定される部材である）。
最後に、オーバーフロー継手１５を洗面ボウルＳのオーバーフロー排水口１７に接続すると共に、排出口２４と床下配管とを、排水トラップ配管Ｔを介して接続し、更に排水口１から排水栓本体２内に弁部材３を配置して、遠隔操作式排水栓装置の洗面ボウルＳへの施工が完了する。
【００２９】
上記のように取り付けられた第四実施例の従来例の遠隔操作式排水栓装置は、段落００１９に記載した第一実施例の遠隔操作式排水栓装置と同様の方法にて使用することができる。
また、上記のように構成された第四実施例の遠隔操作式排水栓装置は、段落００２０に記載した第一実施例の遠隔操作式排水栓装置と同様の効果を奏すると共に、更に、固定部材５を係止部材１０と嵌合させることで、排水栓本体２に固定される排水継手２５に係止固定されてなる。この固定部材５と係止部材１０との嵌合は、部材が破壊されるか、あるいはワイヤー挿通管２３の水密的な閉塞を解除し、係止部材１０をワイヤー挿通管２３より取り出さない限り解除されることはないため、突起部６の弾性を利用して排水器本体に固定部材５を係止させている第一実施例の遠隔操作式排水栓装置の固定部材５よりも強固且つ確実に排水栓本体２に対して係止固定されている、という事ができる。
尚、上記実施例では、従来例と同様、排水栓本体２と排水継手２５の２つの部材を接続固定するように構成しているが、従来例の遠隔操作式排水栓装置が、
・排水栓本体２下端と、固定部材５のフランジ部１８上面
・排水継手２５上面と、固定部材５のフランジ部１８下面
の２箇所で水密的な接続を行わなければならず、その分漏水の危険があることに対し、本実施例では、接続箇所は、
・排水栓本体２下端と排水継手２５上面
の１箇所のみであって、排水栓本体２と排水継手２５の接続箇所での漏水が生じる可能性は、従来例と比較して半分に減じている、ということができる。
【００３０】
本発明の実施例は以上のようであるが、本発明は上記実施例に限定される物ではなく、主旨を変更しない範囲において自由に変更が可能である。例えば、上記実施例では、遠隔操作式排水栓装置を施工する槽体は洗面台の洗面ボウルＳとしているが、本発明は上記実施例に限定されるものではなく、流し台のシンクや、浴室の浴槽等、様々な槽体の排水配管に本発明を採用しても構わない。
また、上記実施例では、操作伝達部材としてレリースワイヤ１２を採用してなるが、本発明は上記実施例に限定されるものではなく、遠隔操作式排水栓装置の弁部材３を押し上げる機構として電力による昇降ユニットを採用し、操作伝達部材としてその昇降ユニットを動作させる電線を採用しても構わない。
また、上記実施例では、開口部９をオーバーフロー接続口やワイヤー挿通管２３の開口部９としているが、本発明は上記実施例に限定されるものではなく、側方を向いた排出口２４等、排水栓本体２、または排水栓本体２に固定される配管部材の管体部分に設けても構わない。
また、純粋に固定部材５を係止させるためだけに開口部９を設けても構わない。この場合でも、開口部９の位置を自由に設定できるため、設計の自由度が高くなると共に、開口部９の大きさも小さな開口とすることができるため、容易に水密性を高いものとすることができる。
また、上記第三実施例では、固定部材５の突起部６を、開口部９と凹部１１とに係止させてなるが、本発明は上記実施例に限定されるものでは無く、図１４に示したように、凹部１１のみに固定部材５を係止するように構成しても良い。開口部９は第一実施例や第二実施例などのように、オーバーフロー配管１３の接続や排水の排出口２４など、他の目的に利用されることが多く、固定部材５を係止するために開口部９が閉塞または開口の割合が減じると不具合となる場合が多い。このような場合、図１４に示した実施例のように、凹部１１のみに固定部材５が係止固定されるように構成し、開口部９には閉塞物が無いようにすると好適である。
また、上記第四実施例では、固定部材５を係止させるための係止部材１０を、ワイヤー挿通管２３に挿入するように構成してなるが、本発明は上記実施例に限定されるものではなく、図１５に示したように、ワイヤー挿通管２３それ自体を排水栓本体２とは別途設けて係止部材１０とし、このワイヤー挿入管が固定部材５を係止することで排水栓本体２（または排水栓本体２に接続される配管部材）に係止固定されるように構成しても構わない。
【符号の説明】
【００３１】
１      排水口                        ２      排水栓本体
２ａ    横穴部                        ３      弁部材
３ａ    弁体                          ３ｂ    軸部
４      操作部                        ５      固定部材
５ａ    嵌合部                        ６      突起部
７      保持部                        ７ａ    軸体
８      リング部                      ９      開口部
１０    係止部材                      １１    凹部
１２    レリースワイヤ                １２ａ  アウターチューブ
１２ｂ  インナーワイヤ                １３    オーバーフロー配管
１４    オーバーフローアダプター      １５    オーバーフロー継手
１６    ホース管                      １７    オーバーフロー排水口
１８    フランジ部                    １８ａ  ネジ穴部
１９    雄ネジ部                      ２０    ネジ部材
２１    板ナット部材                  ２２    オーバーフロー接続管
２３    ワイヤー挿通管                ２４    排出口
２５    排水継手                      ２５ａ  鍔部
２６    袋ナット部材                  Ｓ      洗面ボウル
Ｔ      排水トラップ配管              Ｔ１    封水部
【図１】
0005793747.tif 000002
【図２】
0005793747.tif 000003
【図３】
0005793747.tif 000004
【図４】
0005793747.tif 000005
【図５】
0005793747.tif 000006
【図６】
0005793747.tif 000007
【図７】
0005793747.tif 000008
【図８】
0005793747.tif 000009
【図９】
0005793747.tif 000010
【図１０】
0005793747.tif 000011
【図１１】
0005793747.tif 000012
【図１２】
0005793747.tif 000013
【図１３】
0005793747.tif 000014
【図１４】
0005793747.tif 000015
【図１５】
0005793747.tif 000016
【図１６】
0005793747.tif 000017